(57)【特許請求の範囲】
【請求項１】
自然水を受け容れる供給側タンクと、
この供給側タンクからの水を吸い上げて水圧を供給する供給手段と、
この供給手段からの水圧で作動して所定の浚渫作業を実践する作動部と、
上記の作動部からの排水が流入される排水側タンクと、
を有してなる浚渫システムであって、
上記の供給側タンクと上記の排水側タンクとを流路を介して連通すると共に、この流路に上記の排水側タンクと上記の供給側タンクとを連通又は遮断する切換弁を配設し、
上記の流路の遮断を選択する場合には上記の作動部に供給される水が上記の供給側タンクのみから供給され、
上記の流路の連通を選択する場合には上記の作動部に供給される水が上記の供給側タンク及び上記の排水側タンクから供給される、
ことを特徴とする浚渫システム。
【請求項２】
上記の供給側タンクが自然水を濾過する濾過手段を経由した水を受け容れてなる請求項１に記載の浚渫システム。
【請求項３】
上記の供給側タンクが閉鎖構造に形成されながら自然水を濾過する濾過手段を経由した水を受け容れてなる請求項１または請求項２に記載の浚渫システム。
【請求項４】
上記の排水側タンクが閉鎖構造に形成されながら上記の作動部からの排水を流入させてなる請求項１，請求項２または請求項３に記載の浚渫システム。
【請求項５】
上記の供給手段が上記の供給側タンク内の水を吸い上げて上記の作動部側に向けて水圧を供給するポンプと、このポンプの下流側に連通すると共に下流側が上記の供給側タンクに連通してこのポンプによる水圧を設定する水圧設定弁とを有してなる請求項１，請求項２，請求項３または請求項４に記載の浚渫システム。
【請求項６】
上記の作動部が走行台車と、この走行台車を走行させる走行手段と、この走行手段を駆動する一対の走行用モータと、上記の走行台車が有する浚渫機と、この浚渫機を駆動する駆動用モータと、この浚渫機の高さ位置を設定する一対の作動シリンダとを有し、上記の走行用モータ，上記の駆動用モータおよび上記の一対の作動シリンダが水圧利用とされてなる請求項１，請求項２，請求項３，請求項４，または請求項５に記載の浚渫システム。
【請求項７】
上記の供給側タンクと上記の排水側タンクとが水中配置とされない基台上に設けられてなる請求項１，請求項２，請求項３，請求項４，請求項５または請求項６に記載の浚渫システム。
【請求項８】
上記の作動部が水中配置とされる走行台車と、この走行台車を走行させる走行手段と、この走行手段を駆動する一対の走行用モータと、上記の走行台車が有する浚渫機と、この浚渫機を駆動する駆動用モータと、この浚渫機の高さ位置を設定する一対の作動シリンダとを有し、上記の走行用モータ，上記の駆動用モータおよび上記の一対の作動シリンダが水中配置とされてなる請求項１，請求項２，請求項３，請求項４，請求項５，請求項６または請求項７に記載の浚渫システム。
【発明の詳細な説明】
【技術分野】
【０００１】
この発明は、浚渫システムに関し、特に、港湾や河川さらには湖沼などの底を浚って土砂などを撤去する浚渫船や浚渫機械への具現化に適する浚渫システムの改良に関する。
【背景技術】
【０００２】
港湾や河川さらには湖沼などの底を浚って土砂などを撤去する浚渫船や浚渫機械への具現化に適する浚渫システムとしては、たとえば、特許文献１に開示の提案があるが、この特許文献１に開示の提案にあっては、クローラを有する無人の走行台車が湖沼などの底を移動する。
【０００３】
そして、この走行台車は、その水中での移動時に湖沼などの底の土砂を掬い揚げるスクレーパと、このスクレーパが掬った土砂を吸い上げて水面まで押し上げるスクイーズポンプとを有してなる。
【０００４】
そしてまた、この走行台車は、水圧から保護された電気制御盤や油圧制御盤を有し、この電気制御盤や油圧制御盤は、水面の台船上に搭載した発電機や油圧ユニットに連結されて、スクレーパやスクイーズポンプの駆動および走行台車の移動を制御する。
【０００５】
それゆえ、この提案によれば、湖沼などの底を無人の走行台車が走行して浚渫するから、水面の台船から湖沼などの底を直接浚渫する場合に比較して、水深が大きくなっても所定の浚渫を実践し得る点で有利となる。
【先行技術文献】
【特許文献】
【０００６】
【特許文献１】特開平８‐３０２７３０公報（要約，明細書中の段落０００８，図１，図２参照）
【発明の概要】
【発明が解決しようとする課題】
【０００７】
しかしながら、上記した特許文献１に開示の提案にあっては、水深が大きくなっても所定の浚渫を実現し得る点で基本的に問題がある訳ではないが、その実施化にあって、些かの不具合があると指摘される可能性がある。
【０００８】
すなわち、上記した特許文献１に開示の提案にあっては、水中における走行台車の移動およびスクレーパやスクイーズポンプの駆動が駆動機器たる油圧モータによるとし、この油圧モータへの油圧の給排が走行台車上の油圧制御盤における制御に依存し、この油圧制御盤には水面上の油圧源が油圧ホースの利用で接続される。
【０００９】
それゆえ、この特許文献１に開示の提案にあっては、水中の走行台車に配設の油圧制御盤に接続される油圧ホースや、その接続部からの作動流体たる作動油の漏れが危惧されると共に、さらには、油圧機器類からの直接的な作動油の漏れが危惧され、実際に作動油の漏れがあると、水質汚染などの環境汚染に繋がる不具合がある。
【００１０】
この発明は、このような現状を鑑みて創案されたものであって、その目的とするところは、所定の浚渫をするについて、水質汚染などの環境汚染を招来せずして、その汎用性の向上を期待するのに最適となる浚渫システムを提供することである。
【課題を解決するための手段】
【００１１】
上記した目的を達成するために、本発明の課題解決手段は、
自然水を受け容れる供給側タンクと、
この供給側タンクからの水を吸い上げて水圧を供給する供給手段と、
この供給手段からの水圧で作動して所定の浚渫作業を実践する作動部と、
上記の作動部からの排水が流入される排水側タンクと、
を有してなる浚渫システムであって、
上記の供給側タンクと上記の排水側タンクとを流路を介して連通すると共に、この流路に上記の排水側タンクと上記の供給側タンクとを連通又は遮断する切換弁を配設し、
上記の流路の遮断を選択する場合には上記の作動部に供給される水が上記の供給側タンクのみから供給され、
上記の流路の連通を選択する場合には上記の作動部に供給される水が上記の供給側タンク及び上記の排水側タンクから供給される、
ことを特徴とするものである。
【発明の効果】
【００１２】
それゆえ、この発明にあっては、所定の浚渫作業を実践する作動部が自然水の供給を受けて作動するから、作動部を作動させる作動流体が水となり、仮に漏れることがあっても、水質汚染などの環境汚染を危惧しなくて済む。
【００１３】
そして、この発明にあっては、作動部からの排水が排水側タンクに流入されるから、この排水タンクに流入した水の再利用を可能にし、作動部からの排水が自然界に直接排出される場合に比較して、新たに供給側タンクに供給する水の量を減らすことが可能になる。
【００１４】
また、この発明にあっては、供給側タンクと排水側タンクとを流路を介して連通すると共に、この流路に排水側タンクと供給側タンクとを連通又は遮断する切換弁を配設しているから、作動部の作動に要する水の量が多くなるときには、排水側タンクを供給側タンクに連通して両タンクから大容量の水の供給を可能にすると共に、作動部の作動に要する水の量が少なくてよい場合には、供給側タンクのみからの小容量の水の供給として、いわゆるエネルギーロスを回避し得る。
【図面の簡単な説明】
【００１５】
【図１】この発明による浚渫システムを具現化した概略図である。
【図２】この発明による浚渫システムを具現化する回路図である。
【発明を実施するための形態】
【００１６】
以下に、図示した実施形態に基づいて、この発明を説明するが、この発明による浚渫システムは、図示するところでは、図１に示すように、ダムなどの水面Ｗに浮かぶ基台たる台船Ｓと、ダム底などの底Ｇを走行する水中ブルドーザＢとを有する状況下に具現化されてなる。
【００１７】
そして、この浚渫システムにあって、水中ブルドーザＢは、図示するところでは、この発明に言う作動部Ｕ（図２参照）を有してなり、この作動部Ｕの作動が台船Ｓ上に設置の制御部Ｃにおける制御によるとしている。
【００１８】
すなわち、この発明による浚渫システムを回路で看ると、基本的には、図２に示すように、自然水を受け容れる供給側タンク１と、この供給側タンク１からの水を吸い上げて吐出する供給手段２と、この供給手段２からの水で作動して所定の浚渫作業を実践する作動部Ｕとを有してなる。
【００１９】
そして、図示する実施形態にあって、この浚渫システムは、作動部Ｕから吐出された排水を流入させる排水側タンク３を有すると共に、この排水側タンク３の上記の供給側タンク１への連通の可不可の選択を可能にする切換弁４を有してなる。
【００２０】
まず、供給側タンク１は、図１に示すところでは、台船Ｓに形成されてなり、この供給側タンク１には、自然水が濾過手段たる濾過器５を介して供給されるとし、このとき、自然水は、同じく台船Ｓに配設のポンプ５ａの駆動で汲み上げられて言わば強制的に濾過器５に供給される。
【００２１】
供給側タンク１に供給される水が濾過手段で濾過されるのは、自然水に混入などするゴミによるいわゆる目詰まりをあらかじめ回避するためであり、自然水がゴミを余り含まない場合には、簡単にフィルタを交換できるなどの簡単な構成の濾過装置が利用されても良い。
【００２２】
なお、図示する濾過器５にあっては、図示しないが、いわゆる逆流機構を有していて、この逆流機構の作動で濾過器５内に溜ったゴミを器外に放出して、長期に亘って繰り返し利用し得るように形成されてなるのが好ましい。
【００２３】
そして、濾過器５からの水は、いわゆる自然落下で供給側タンク１に流入されても良いが、安定的な流入を実現する上からは、図示しないが、ポンプなどの利用で強制的に流入されるのが良い。
【００２４】
また、供給側タンク１には、濾過器５を通過した言わば清浄な水が流入されるから、この供給側タンク１が閉鎖構造に形成されて爾後にゴミなどが混入しないように配慮されるのが良い。
【００２５】
そしてまた、供給側タンク１が閉鎖構造に形成される場合には、図示しないが、濾過器５の下流側にチェック弁などが設けられるなどして、閉鎖構造となる供給側タンク１内の高圧化などに起因して、供給側タンク１の水が濾過器５側に逆流することを阻止するのが良い。
【００２６】
なお、供給側タンク１内が設定以上に高圧化することが容易に想定される場合には、図示しないが、この高圧を供給側タンク１外に解放し得る解放弁などが設けられるのが好ましい。
【００２７】
また、この供給側タンク１が機能するところを鑑みると、要は、所定量の水を収容すれば良く、その意味からは、この供給側タンク１が水中に、特に、水中ブルドーザＢに設けられてなるとしても良いと言い得る。
【００２８】
ただ、この供給側タンク１には濾過器５が併設されることや、この供給側タンク１に対するメンテナンスのことを考慮すると、図示する実施形態のように、台船Ｓに設けられてなる方が良い。
【００２９】
つぎに、供給手段２は、駆動源（符示せず）の駆動で供給側タンク１からの水を吸い上げて、これを作動部Ｕ側に吐出するポンプ２ａを有すると共に、このポンプ２ａに並列する水圧設定弁２ｂを有してなる。
【００３０】
このとき、ポンプ２ａを駆動する駆動源についてだが、これが水圧モータからなることはあっても、油圧モータからなることはないが、この供給手段２が台船Ｓに配設されることからすれば、電動モータからなるのが最適であろう。
【００３１】
特に、この種の台船Ｓは、言わば市街地で稼働せずしてダムのある山間部などの郊外で稼働するのが常態であろうから、台船Ｓに設けられた発電機（図示せず）の騒音などが公害視されることも少なく、したがって、この発電機で駆動する電動モータがポンプ２ａを駆動するのが好ましく、また、問題も生じない。
【００３２】
そして、台船Ｓに設けられた発電機は、前記した濾過器５に自然水を供給するポンプ５ａの駆動をも可能にし、また、この台船Ｓに配設の制御部Ｃにおける制御の際に利用されるなどを含めて、その利便性を高くする。
【００３３】
一方、水圧設定弁２ｂは、ポンプ２ａが吐出する水圧を作動部Ｕにおける所定の作動に向く水圧に調整するもので、その限りにおいては、任意の構造が選択されて良いが、図示するところでは、リリーフバルブからなるとしている。
【００３４】
そして、この水圧設定弁２ｂで解放される水圧、つまり、水は、再度の利用に供すために供給側タンク１に戻されるが、このとき、いわゆる逆流を阻止するために、図示しないが、水圧設定弁２ｂと供給側タンク１とを連通する流路にチェック弁などが設けられるのが良い。
【００３５】
なお、供給手段２から作動部Ｕに供給される水圧は、これが高くなることが容易に想定されるが、この言わば高圧をポンプ２ａが常時供給する設定は合理的ではなく、その意味では、図示しないが、加圧タンクなどの蓄圧手段がこの供給手段２に設けられて、この蓄圧手段からの水圧で作動部Ｕが所定の作動を実践するように設定されるのが好ましい。
【００３６】
そして、排水側タンク３は、作動部Ｕから吐出された排水を流入させるもので、これを設けないことによって、作動部Ｕから吐出された排水を直接自然水に混入させることになる不効率性の招来を避ける目的がある。
【００３７】
一方、この排水側タンク３は、流入してくる水を作動部Ｕから吐出された排水とするだけで、その構成については、閉鎖構造に形成されるなど、基本的には、前記した供給側タンク１の構成と殆ど同一とされて良い。
【００３８】
ただ、この排水側タンク３は、作動部Ｕから吐出された排水を流入させること、および、作動部Ｕから吐出された排水における水温が常温、すなわち、自然水の水温以上となっていることが多いことを考慮すると、冷却機能を発揮し得る構造に形成されるのが良い。
【００３９】
そして、この冷却機能を発揮する構造についてだが、前記したように、供給側タンク１が台船Ｓに設けられること、および、後述するが、この排水側タンク３が供給側タンク１に連通可能とされることを考慮すると、この排水側タンク３にあっても、台船Ｓに設けられる、特に、供給側タンク２に隣接して設けられるのが良い。
【００４０】
排水側タンク３が台船Ｓに設けられることによって、台船Ｓの胴回り板や船底板が自然水に晒されて冷却板として機能することも期待できるので、別途に、冷却機構などを設けなくて済む点で有利となる。
【００４１】
また、この排水側タンク３が水面Ｗの台船Ｓに設けられる場合には、水中、すなわち、水中ブルドーザＢにある作動部Ｕから吐出された排水が水中の耐水ホースＨ（図２参照）を挿通して排水側タンク３に流入されるから、作動部Ｕから吐出された排水がこの水中の耐水ホースＨ内を挿通することによっても冷却されることを期待できるであろう。
【００４２】
なお、この排水側タンク３が閉鎖構造に形成される場合には、前記した供給側タンク１と同様にオーバーフロー機構やチェック弁を設けてなるのが好ましい。
【００４３】
また、この排水側タンク３が機能するところを鑑みると、要は、所定量の排水を流入させれば良く、その意味からは、前記した供給側タンク１と同様に、この排水側タンク３が水中に、特に、水中ブルドーザＢに設けられてなるとしても良いと言い得る。
【００４４】
ただ、この排水側タンク３は、供給側タンク１に連通可能とされるのが良いことや、この排水側タンク３に対するメンテナンスのことを考慮すると、図示する実施形態のように、供給側タンク１と共に台船Ｓに設けられてなる方が良い。
【００４５】
さらに、切換弁４は、上記した排水側タンク３の前記した供給側タンク１への連通又は遮断を選択可能にするもので、この連通又は遮断が選択されることで、作動部Ｕに供給される水量の多少に対応できる。
【００４６】
すなわち、作動部Ｕがいわゆるフル作動する場合には、言わば多量の水が必要になるので、排水側タンク３を供給側タンク１に連通して供給手段２が作動部Ｕに供給する水量を多くするのが好ましい。
【００４７】
それに対して、作動部Ｕの作動時間が比較すれば短時間であったり、あるいは、水中ブルドーザＢが殆ど走行しなくても済んだりする状況では、作動部Ｕに供給される水量も言わば少量で済むであろうし、その場合には、排水側タンク３の供給側タンク１への連通を切換弁４で遮断して水量を少なくしても足りると言い得る。
【００４８】
ちなみに、排水側タンク３の供給側タンク１への連通が切換弁４で遮断されて、作動部Ｕに供給される水が供給側タンク１のみから供給される場合には、作動部Ｕから吐出された排水は、一旦、排水側タンク３内に流入するが、オーバーフローして自然水に混入される。
【００４９】
ところで、この排水側タンク３内に流入した排水がオーバーフローして自然水に混入する状況は、この発明において、排水側タンク３を設けることの意義に反すると言い得る。
【００５０】
すなわち、前記したように、この発明においては、作動部Ｕから吐出された排水を直接自然水に混入させることによる不効率性の招来を避ける目的で排水側タンク３を設けるとしている。
【００５１】
このことからすると、供給側タンク１の水だけで足りるからと言って、切換弁４を遮断して、排水側タンク３の供給側タンク１への連通を阻止することは、上記した排水側タンク３を介してであるが、作動部Ｕから吐出された排水の自然水への混入に繋がり、この発明における根本思想に反することになる。
【００５２】
そこで、この発明にあっては、上記した切換弁４が設けられなくても良いと言い得るが、たとえば、作動部Ｕから吐出された排水が異常に高温となり、それゆえ、作動部Ｕから吐出された排水を自然水に混入させる一方で、不足分を自然水から取り込んだ方が作動部Ｕの作動の上で有利となる場合には、切換弁４の配設が有利となる。
【００５３】
以上のように、この発明にあっては、切換弁４の配設が好ましいが、この切換弁４は、台船Ｓに配設の制御部Ｃに設けられるであろうから、また、前記したように、この台船Ｓには発電機も設けられるであろうから、図示しないが、たとえば、ソレノイド切換バルブからなり、連通ポジション４ａと、遮断ポジション４ｂとを有してなるのが良い。
【００５４】
そしてまた、この切換弁４にあっては、図示しないが、遮断ポジション４ｂを介して自然水に排出される水を挿通させる流路にチェック弁などを有していわゆる逆流を阻止するのが好ましい。
【００５５】
一方、作動部Ｕは、図２に示すように、一対の走行用モータ６，６と、単一の駆動用モータ７と、一対の作動シリンダ８，８とを有してなり、これら走行用モータ６，駆動用モータ７および作動シリンダ８を水圧利用で駆動させる。
【００５６】
そして、この作動部Ｕにあって、走行用モータ６，駆動用モータ７および作動シリンダ８を水圧利用で駆動させるについては、それぞれ切換弁９を利用するとしている。
【００５７】
すなわち、この作動部Ｕにあって、走行用モータ６は、両方向モータからなり、水中ブルドーザＢを構成する走行台車１１（図１参照）における走行手段たる車輪１２（図１参照）を駆動する。
【００５８】
そして、水中ブルドーザＢにあっては、車輪１２が走行台車１１の左右に設けられるから、走行用モータ６もこれに呼応して一対に設けられ、左右の走行用モータ６の制御がそれぞれの切換弁９で実践される。
【００５９】
また、この作動部Ｕにあって、単一とされる駆動用モータ７は、上記の走行用モータ６と同様に両方向モータからなると共に、水中ブルドーザＢを構成する走行台車１１に設けられた浚渫機１３（図１参照）を駆動するもので、同じく専用の切換弁９でいわゆる正転および逆転が実践される。
【００６０】
ちなみに、この浚渫機１３で切り崩された土砂については、図示しないが、浚渫ポンプなどが利用されて水面Ｗの台船Ｓにおける土倉に搬送され、あるいは、水面Ｗに浮かぶ専用台船に移送されて回収処理される。
【００６１】
さらに、この作動部Ｕにあって、作動シリンダ８は、片ロッド型シリンダからなると共に、上記の浚渫機１３を先端に保持するブーム１４（図１参照）を揺動させるもので、浚渫機１３を底Ｇ（図１参照）に対して昇降させる。
【００６２】
それゆえ、この作動シリンダ８は、原理的には一本でも足りると言い得るが、図示するところでは、浚渫機１３がいわゆる幅を有してなることもあって、一対とされて、上記の走行用モータ６と同様に、専用の切換弁９で同期駆動される。
【００６３】
一方、この作動部Ｕにあって、切換弁９は、上記の走行用モータ６，駆動用モータ７および作動シリンダ８における所定の作動を実現し得る限りには、任意の構成とされて良い。
【００６４】
とは言え、作動部Ｕが水中配置とされることからすれば、この切換弁９についても、同じく水中配置とされるであろうから、たとえば、パイロット切換バルブからなり、供給手段２からの供給圧の方向を選択することで切換作動されるのが良いと言い得る。
【００６５】
しかし、作動部Ｕを水中配置とするときに、切換弁９を水圧から保護された状態で配設することを可能にする場合、つまり、水の浸入で不作動状態が招来されない場合には、この切換弁９がソレノイド切換バルブからなるとしても良い。
【００６６】
一方、この切換弁９は、遮断ポジション９ａと、連通ポジションたる正転ポジション９ｂと、同じく連通ポジションたる反転ポジション９ｃとを有してなり、上記したように、パイロット圧によって、あるいは、ソレノイドへの励磁によって所望のポジションに切り換られる。
【００６７】
そして、この切換弁９の切換作動については、台船Ｓに配設の制御部Ｃにおける所定の制御で具現化される。
【００６８】
なお、以上のように形成された作動部Ｕには、供給手段２を介して水圧が供給され、また、作動部Ｕから吐出された排水が排水タンク３に戻されるが、それぞれの水の流れを安定させるために、チェック弁６ａ，６ｂ，７ａ，７ｂ，８ａ，８ｂが配設されるのが好ましい。
【００６９】
それゆえ、以上のように、水中ブルドーザＢを有すると共に台船Ｓを有して具現化された浚渫システムにあっては、作動部Ｕにおいて、水圧利用による走行用モータ６，６の駆動で水中ブルドーザＢが底Ｇを所望の方向に走行し、このとき、浚渫機１３は、駆動用モータ７が水圧利用で駆動されることで堆積土砂を切り崩し、浚渫ポンプなどによる土砂の移送、すなわち、浚渫を可能にする。
【００７０】
そして、この浚渫作業に際して、作動シリンダ８を水圧利用で駆動させることで、浚渫機１３を底Ｇに対して昇降させ、切り崩す堆積土砂の深さを選択したり、切り崩し作業の迅速化させたりできる。
【００７１】
前記したところでは、この発明の浚渫システムにおいて、作動部Ｕを構成する切換弁９は、水中配置とされるとしたが、要は、切換弁９が水圧利用で走行用モータ６，駆動用モータ７および作動シリンダ８を駆動させれば良く、この限りにおいては、この切換弁９が台船Ｓに配設されて、台船Ｓと水中ブルドーザＢとは、耐水ホースＨで連結されてなるとしても良い。
【００７２】
そして、切換弁９が台船Ｓに配設される場合には、ハードとされるいわゆる実働部だけが水中配置とされ、ソフトとされるいわゆる制御部が水濡れの危惧なくして、設定の変更や制御およびメンテナンスを容易にする上で有利になる。
【００７３】
また、前記したところでは、この発明の浚渫システムが水面Ｗに浮かぶ基台たる台船Ｓと、水中ブルドーザＢとに具現化されてなるとしたが、この発明が意図する水圧利用の観点からすれば、この浚渫システム全体を具現化する基台が陸上に設置されたり、トレーラなどの走行台車に搭載されて陸上を移動したりする浚渫機械に具現化されてなるとしても良いことはもちろんである。
【産業上の利用可能性】
【００７４】
所定の浚渫をするについて、水質汚染などの環境汚染を招来させないようにするのに向く。
【符号の説明】
【００７５】
１  供給側タンク
２  供給手段
２ａ，５ａ  ポンプ
３  排水側タンク
４，９  切換弁
４ａ  連通ポジション
４ｂ，９ａ  遮断ポジション
５  濾過器
６  走行用モータ
７  駆動用モータ
８  作動シリンダ
９ｂ  連通ポジションたる正転ポジション
９ｃ  連通ポジションたる逆転ポジション
１１  走行台車
１２  車輪
１３  浚渫機
Ｂ  水中ブルドーザ
Ｃ  制御部
Ｇ  底
Ｓ  台船
Ｕ  作動部
Ｗ  水面
【図１】
0005592623.tif 000002
【図２】
0005592623.tif 000003